(57)【要約】【課題】結束部材を用いることなく電源コードを収容保持し、かつプラグの刃を保護する。【解決手段】電源コード１８の収容保持構造４１は、電気装置を外部に対して仕切る外部パネル１６と、コード部１９とプラグ２０を備え、コード部１９の一端が電気装置に、他端がプラグ２０に接続された電源コード１８と、外部パネル１６で仕切られた、コード部１９の余長を収納可能な収納空間１７と、を有している。プラグ２０は、コード部１９に接続されたプラグ本体２１と、プラグ本体２１から突き出た刃２２とを有している。外部パネル１６は、刃２２が差し込み可能な穴２７と、収納空間１７に連通しコード部１９が通過可能な開口２８と、を備えている。プラグ本体２１は、刃２２の穴２７への係合によって外部パネル１６に保持される。【選択図】図２
2017117829.tif 000002
【特許請求の範囲】
【請求項１】
電気装置を外部に対して仕切る外部パネルと、
コード部とプラグを備え、前記コード部の一端が前記電気装置に、他端が前記プラグに接続された電源コードと、
前記外部パネルで仕切られた、前記コード部の余長を収納可能な収納空間と、を有し、
前記プラグは、前記コード部に接続されたプラグ本体と、前記プラグ本体から突き出た刃とを有し、
前記外部パネルは、前記刃が差し込み可能な穴と、前記収容空間に連通し前記コード部が通過可能な開口と、を備え、
前記プラグ本体は、前記刃の前記穴への係合によって前記外部パネルに保持される、電源コードの収容保持構造。
【請求項２】
前記外部パネルは、外面から引き込み、表面に前記穴が設けられた凹部を有し、
前記刃が前記穴に差し込まれたときに前記プラグ本体は前記凹部に収容される、請求項１に記載の電源コードの収容保持構造。
【請求項３】
前記凹部の側壁と前記プラグ本体の間隔は５ｍｍ以下である、請求項２に記載の電源コードの収容保持構造。
【請求項４】
電気装置を外部に対して仕切る外部パネルと、
コード部とプラグを備え、前記コード部の一端が前記電気装置に、他端が前記プラグに接続された電源コードと、
前記外部パネルで仕切られ、前記コード部の余長を収納可能な収納空間と、を有し、
前記プラグは、前記コード部に接続されたプラグ本体と、前記プラグ本体から突き出た刃とを有し、
前記外部パネルは、前記刃が差し込み可能な穴と、前記収容空間に連通し前記コード部が通過可能な開口と、前記プラグ本体が係合可能な係合部と、を備え、
前記プラグ本体は前記係合部への係合によって前記外部パネルに保持される、電源コードの収容保持構造。
【請求項５】
前記外部パネルは、外面から引き込み、表面に前記穴が設けられた凹部を有し、
前記刃が前記穴に差し込まれたときに前記プラグ本体は前記凹部に収容される、請求項４に記載の電源コードの収容保持構造。
【請求項６】
前記外部パネルは、前記凹部の下方に位置し前記コード部が収容される溝部を有している、請求項２、３、５のいずれか１項に記載の電源コードの収容保持構造。
【請求項７】
前記収容空間に前記コード部の中間部を拘束する留め具が設けられている、請求項１から６のいずれか１項に記載の電源コードの収容保持構造。
【請求項８】
前記外部パネルの内側に、前記外部パネルの前記穴と連通し、前記刃が挿入可能な穴を有する保護部が設けられている、請求項１から７のいずれか１項に記載の電源コードの収容保持構造。
【請求項９】
請求項１から８のいずれか１項に記載の電源コードの収容保持構造を備えたワイン貯蔵庫。
【発明の詳細な説明】
【技術分野】
【０００１】
本発明は電源コードの収容保持構造とこれを備えたワイン貯蔵庫に関する。
【背景技術】
【０００２】
電気機械の電源コードは、電気機械の出荷時や運送時に結束部材で結束される。電気機械の使用時には、電源コードは結束部材をほどかれ、コンセントに接続される。結束部材としては金属のワイヤがビニールで被覆されたビニールタイが一般に用いられる（例えば、特許文献１の従来技術）。
【先行技術文献】
【特許文献】
【０００３】
【特許文献１】特開２００６−２０６３１３号公報
【発明の概要】
【発明が解決しようとする課題】
【０００４】
従来の電気機械では、出荷時に電源コードを結束部材で巻く必要があった。専用の梱包材が手元にない場合、結束部材で結束した電源コードが運搬中に動かないように、電源コードをビニールテープなどで機械本体に固定する必要もある。しかし、これらの作業は一般に人が行うため、作業効率の面で合理化の余地がある。また、一般にプラグの刃は保管中に保護されていないため、環境によっては破損や腐食が生じやすい。
【０００５】
本発明は、結束部材を用いることなく電源コードの収容保持が可能で、かつプラグの刃の保護が可能な電源コードの収容保持構造を提供することを目的とする。
【課題を解決するための手段】
【０００６】
本発明の一態様によれば、電源コードの収容保持構造は、電気装置を外部に対して仕切る外部パネルと、コード部とプラグを備え、コード部の一端が電気装置に、他端がプラグに接続された電源コードと、外部パネルで仕切られた、コード部の余長を収納可能な収納空間と、を有し、ている。プラグは、コード部に接続されたプラグ本体と、プラグ本体から突き出た刃とを有し、外部パネルは、刃が差し込み可能な穴と、収容空間に連通しコード部が通過可能な開口と、を備えている。プラグ本体は、刃の穴への係合によって外部パネルに保持される。
【０００７】
本発明の他の態様によれば、電源コードの収容保持構造は、電気装置を外部に対して仕切る外部パネルと、コード部とプラグを備え、コード部の一端が電気装置に、他端がプラグに接続された電源コードと、外部パネルで仕切られ、コード部の余長を収納可能な収納空間と、を有し、プラグは、コード部に接続されたプラグ本体と、プラグ本体から突き出た刃とを有している。外部パネルは、刃が差し込み可能な穴と、収容空間に連通しコード部が通過可能な開口と、プラグ本体が係合可能な係合部と、を備えている。プラグ本体は係合部への係合によって外部パネルに保持される。
【発明の効果】
【０００８】
本発明によれば、電源コードの収容保持構造を備えた製品の出荷時や運搬時には、コード部はプラグ側の必要長のみを外部に出し、余長は外部パネルで仕切られた収納空間に収納される。このため、コード部を結束部材で結束する必要がない。プラグの刃は外部パネルに設けられた穴に差し込まれて保護されるため、保管中の破損や腐食が生じにくい。プラグ本体は、刃の穴への係合またはプラグ本体の係合部への係合によって外部パネルに保持されるため、固定のためにテープなどを用いる必要がない。製品の使用時には、必要な長さのコード部を収容空間から引き出し、プラグの刃を穴から引き抜き、コンセントに接続すればよい。
【０００９】
このように、本発明によれば、結束部材を用いることなく電源コードの収容保持が可能で、かつプラグの刃の保護が可能な電源コードの収容保持構造を提供することができる。
【図面の簡単な説明】
【００１０】
【図１】本発明の電源コードの収容保持構造を有するワイン貯蔵庫の断面図である。
【図２】本発明の第１の実施形態に係る電源コードの収容保持構造の概念図である。
【図３】図２に示す収容保持構造の断面図である。
【図４】留め具の断面図である。
【図５】本発明の第２の実施形態に係る電源コードの収容保持構造の概念図である。
【図６】図５に示す収容保持構造の断面図である。
【図７】本発明の第３の実施形態に係る電源コードの収容保持構造の概念図である。
【図８】本発明の第４の実施形態に係る電源コードの収容保持構造の概念図である。
【図９】本発明の第５の実施形態に係る電源コードの収容保持構造の概念図である。
【発明を実施するための形態】
【００１１】
以下、本発明の電源コードの収容保持構造のいくつかの実施形態について説明する。本発明の電源コードの収容保持構造は、電源コードを経由して外部電源を利用するあらゆる電気機器に適用することができる。以下に述べる実施形態はワイン貯蔵庫に関するが、本発明はこれに限定されない。
【００１２】
図１は、本実施形態の電源コードの収容保持構造を備えるワイン貯蔵庫の側方断面図である。ワイン貯蔵庫１は断熱材により外壁を形成した断熱箱体２と、断熱箱体２の前面開口３を開閉可能に仕切る扉４と、を有している。断熱箱体２の内側には貯蔵空間５を形成する内側パネル６が設けられている。内側パネル６は意匠性を考慮して樹脂で製作されている。貯蔵空間５は仕切板７によって上室５ａと下室５ｂに仕切られている。扉４は３層ガラス板構造からなり、上下の蝶番（図示せず）によって断熱箱体２に回動可能に取り付けられている。本実施形態のワイン貯蔵庫１は上室５ａと下室５ｂを有しているが、一つの室だけを有していてもよい。上室５ａと下室５ｂにはそれぞれトレイ（図示せず）が設置され、このトレイにワインボトルが載置される。
【００１３】
上室５ａの後部にはヒータ１１ａと、冷却器１２ａと、送風機１３ａが設けられている。下室５ｂの後部にはヒータ１１ｂと、冷却器１２ｂと、送風機１３ｂが設けられている。ヒータ１１ａ，１１ｂはそれぞれ上室５ａと下室５ｂの空気を加熱し、冷却器１２ａ，１２ｂはそれぞれ上室５ａと下室５ｂの空気を冷却する。送風機１３ａ，１３ｂは、ヒータ１１ａ，１１ｂで加熱されまたは冷却器１２ａ，１２ｂで冷却された空気を。上室５ａ及び下室５ｂ内で循環させる。上室５ａと下室５ｂの後部には仕切り壁１４ａ，１４ｂが設けられ、ヒータ１１ａ，１１ｂ、冷却器１２ａ，１２ｂ及び送風機１３ａ，１３ｂを視覚的に遮蔽している。仕切り壁１４ａ，１４ｂには送風機１３ａ，１３ｂから送られる空気をワインボトルＢの貯蔵エリアに直接供給するための開口またはスリット（図示せず）が設けられている。
【００１４】
断熱箱体２の下部後方には機械室９が設けられ、冷凍サイクルを行うための圧縮機１５、制御基板、電磁弁、配管等（圧縮機１５以外は図示せず）が収納されている。圧縮機１５は２つの冷却器１２ａ，１２ｂに共通で組み合わされている。庫内の気温は温度計（図示せず）で監視され、庫内の気温が上昇したときは、制御基板に実装された制御回路によって圧縮機１５と送風機１３ａ及び／または１３ｂが起動する。圧縮機１５の起動により冷凍サイクルが開始され、冷気通路（図示せず）内を流通する空気が、冷凍サイクルの低温側となる冷却器１２ａ及び／または１２ｂで、庫内の空気と熱交換して冷気が生成される。冷凍サイクルの冷媒には可燃性炭化水素冷媒（図示せず）が使用され、例えば冷媒番号Ｒ６００ａのイソブタンが好適に使用される。以下の説明では、圧縮機１５を電気装置１５というが、ヒータ１１ａ，１１ｂ、送風機１３ａ，１３ｂ、制御基板など外部電源によって駆動される機械、デバイスのいずれも本発明における電気装置に該当する。
【００１５】
断熱箱体２の裏面下部には開口１０が設けられ、開口１０は樹脂製の外部パネル１６で覆われている。開口１０の内側は機械室９となっており、電気装置１５（圧縮機１５）が設置されている。すなわち、電気装置１５と機械室９は外部パネル１６によって外部に対して仕切られている。機械室９は後述する電源コード１８のコード部１９の余長を収納可能な収納空間１７としても機能する。
【００１６】
図２は電源コードの収容保持構造４１の概念図を示す。同図（ａ）は側面図、同図（ｂ）、（ｃ）は同図（ａ）のＡ方向から見た側面図であり、同図（ｂ）はプラグが取り付けられていない状態を、同図（ｃ）はプラグが取り付けられている状態を示している。図３（ａ）〜（ｃ）はそれぞれ、図２（ｃ）におけるＡ−Ａ線、Ｂ−Ｂ線、Ｃ−Ｃ線に沿った断面を示している。
【００１７】
電気装置１５に電気を供給するための電源コード１８は、外部パネル１６を通って外部に引き出されている。電源コード１８はコード部１９とプラグ２０とを備えている。コード部１９の一端は電気装置１５に、他端はプラグ２０に接続されている。プラグ２０は、コード部１９に接続されたプラグ本体２１と、プラグ本体２１から突き出しコンセントに挿入可能な形状を備えた刃２２と、を有している。プラグ本体２１は刃２２の根元部を支持する刃支持部２３と、刃支持部２３より幅が狭いコード保護部２４と、を有している。プラグ本体２１は、刃２２とコード部１９に樹脂モールドで樹脂を被覆することによって形成される。本例では、刃２２はＪＩＳ Ｃ ８３０３ ２極コンセント １５Ａ／１２５Ｖに対応するＡタイプ  ２ピンを用いているが、刃２２の本数及び形状は限定されず、さらにアース用の刃を備えていてもよい。表１に本発明に適用可能な主要なプラグ形状を示す。本発明ではプラグの形状は限定されず、日本国内の他、日本以外の国、地域で使用されるプラグも適用できる。また、扉４に保温ヒータを設ける場合、使用者が扉４に触れて感電することを防止するため、漏電ブレーカとプラグを一体にした漏電保護プラグが用いられることがある。漏電保護プラグはコンセントと電気装置１５の間に設けられる。刃２２は漏電保護プラグのコネクタに適合したものであってもよい。
【００１８】
【表１】
2017117829.tif 000003
【００１９】
外部パネル１６は外面から引き込んだ形状の凹部２５と、同じく外面から引き込み凹部２５の下端に接続された溝部２９と、を有している。図２（ｂ）、（ｃ）において、凹部２５と溝部２９、すなわち外部パネルの一般面から引き込んだ範囲をハッチングで示している。凹部２５の底面２６、すなわち外部パネルの一般面から凹部２５の高さ（深さ）方向に離れた面には、刃２２を差し込み可能な穴２７が形成されている。穴２７の形状は刃２２の断面形状とほぼ同一であり、刃２２を穴２７に差し込むことで、プラグ本体２１は、刃２２の穴２７への係合（刃２２と穴２７の側面との間に生じる摩擦力）によって外部パネル１６に保持される。凹部２５の高さ（深さ）ｈ１はプラグ本体２１の厚さｈ２より大きく、刃２２が穴２７に差し込まれたときにプラグ本体２１の全体が凹部２５に収容される。
【００２０】
外部パネル１６の溝部２９は、収納空間１７に連通しコード部１９が通過可能な開口２８を備えている。開口２８は外部パネル１６の縁部まで延びるスリットの形状を有しており、スリットの端部からコード部１９を開口２８に通すことができる。溝部２９は、凹部２５の下側に位置し、コード部１９を収容する。開口２８は溝部２９の下部に設けられている。溝部２９の深さはコード部１９の外径よりも大きく、プラグ本体２１が凹部２５に収容されたときにコード部１９も溝部２９に収納される。このため、電源コード１８が外部パネル１６の外面（一般面）から突き出ることがなく、電源コード１８の保護性能が高められる。
【００２１】
図４は、収納空間１７に設けられた留め具３０の断面を示している。留め具３０はコード部１９の中間部を拘束し、電源コード１８を外部から引張った時の引張り力に耐える強度を有している。この引張り力は、ＩＥＣ（国際電気標準会議）６０３３５−１及びＪＩＳ  Ｃ９３３５−１の規定によれば１００Ｎとされている。電気用品安全法技術基準にも同様の規定がある。留め具３０は断熱箱体２の底板に設置された下半部３１と、下半部３１の上に位置する上半部３２と、を有している。下半部３１の上面と上半部３２の下面にそれぞれ半円断面の同一径の溝３３，３４が形成されており、上半部３２の溝３４を下半部３１の溝３３と合せることで、コード部１９の外径より僅かに小さい内径を有する円筒溝が形成される。コード部１９をこの円筒溝に通すことで、コード部１９は留め具３０によって固定される。上半部３２と下半部３１はねじ、ボルト、ナット等の締結具３５によって断熱箱体２の底板に固定されている。
【００２２】
電源コード１８を収容保持構造４１で保持するためには、まず、あらかじめ電気装置１５に接続されたコード部１９を留め具３０で固定し、外部パネル１６の開口２８に通す。この状態で外部パネル１６を断熱箱体２に固定する。次に、必要に応じて、開口２８を通してコード部１９を押し戻し、コード部１９の余長を収納空間１７に収容する。次に、コード部１９を外部パネル１６の下端に沿って曲げ、溝部２９の内部を通し、プラグ２０を凹部２５に収容し、刃２２を穴２７に挿入することで、プラグ２０が穴２７に保持される。ワイン貯蔵庫１を使用するときは刃２２を穴２７から抜き、コード部１９を開口２８を通して所定の長さまで引き抜き、コンセントに接続すればよい。
【００２３】
凹部２５の側壁２５ａとプラグ本体２１（刃支持部２３）の間隔ｃは５ｍｍ以下であることが望ましい。プラグ本体２１は刃２２が穴２７に係合することで外部パネル１６に係止されるが、移動中の振動などでプラグ本体２１が動いたときも凹部２５の側面２５ａがストッパとして機能し、刃２２が穴２７から抜け出すことが防止される。
【００２４】
（第２の実施形態）
図５、６は第２の実施形態を示している。図５、６はそれぞれ図２、３に対応している。以下では、第１の実施形態と異なる点を中心に説明する。説明のない点については第１の実施形態と同様である。
【００２５】
凹部２５は刃支持部２３が収容される領域４０と、コード保護部２４が収容される領域４１と、を有している。領域４０は第１の実施形態と同程度の幅を有している。これに対し、領域４１はコード保護部２４と同じか若干小さい幅を有している。このため、プラグ本体２１を凹部２５に収容すると、図５（ｃ）、図６（ｂ）に示すように、コード保護部２４が領域４１と係合する。プラグ本体２１は、コード保護部２４の領域４１への係合（コード保護部２４と領域４１の側面との間に生じる摩擦力）によって外部パネル１６に保持される。このように、凹部２５の領域４１は、プラグ本体２１が係合可能な係合部３６を構成し、プラグ本体２１は係合部３６への係合によって外部パネル１６に保持される。刃２２が入る穴２７は刃２２より大きな寸法を有しており、刃２２は抜き差し方向に自由に動くことができる。しかし、プラグ本体２１が係合部３６で係合されるため、プラグ本体２１は係合部３６を中心に方向Ｄに回転しても刃２２が穴２７の側壁に当たり、刃２２が穴２７から抜けることはない。第１の実施形態と同様、穴２７の寸法を刃２２が穴２７に係合するようにしてもよい。
【００２６】
（第３の実施形態）
図７は第３の実施形態を示している。第１及び第２の実施形態では刃２２を受け入れる穴２７は凹部２５の底面２６に設けられていたが、本実施形態では凹部２５の上側側面４２に設けられている。穴２７は刃２２とほぼ同じ寸法であり、刃２２が穴２７に係合することでプラグ２０が外部パネル１６に保持される。プラグ２０は上下に抜き差しし、コード部１９の余長は下側の開口２８を通して収納空間１７に収納する。本実施形態は刃がプラグ本体２１の先端からコード部１９と同じ方向に突き出しているプラグに好適に適用できる。なお、図７に示す例では、プラグの固定方法は第１の実施形態と同様、刃２２が穴２７に係合する方式であるが、第２の実施形態と同様、コード保護部２４が領域４１の側壁に係合する方式であってもよい。
【００２７】
（第４の実施形態）
図８は第４の実施形態を示している。本実施形態では外部パネル１６の穴２７の裏側に刃２２の保護部３７が設けられている。保護部３７は外部パネル１６の内面に接着剤等で固定される。保護部３７には外部パネル１６の穴２７と連通する穴３８が設けられており、刃２２は外部パネル１６の刃２２を通って保護部３７の穴３８に挿入される。保護部３７の穴３８を刃２２とほぼ同一寸法にすることで、刃２２が穴３８に係合し、よりしっかりとプラグ２０を外部パネル１６に保持させることができる。この場合、外部パネル１６の穴２７は刃２２に係合するものでもよいし、係合しないものでよい。第１の実施形態と同様、刃２２が穴２７に係合する場合、保護部３７の穴３８を刃２２より大きくして刃２２が穴３８と係合しないようにしてもよい。本実施形態によれば刃２２が完全に保護部３７で覆われるため、刃２２の破損、腐食等に対する耐性がより向上する。本実施形態は上述したいずれの実施形態と組み合わせることもできる。
【００２８】
（第５の実施形態）
図９は第５の実施形態を示している。本実施形態では外部パネル１６に凹部２５が設けられておらず、平面状の外部パネル１６の外面に穴２７が設けられている。本実施形態は外部パネル１６に凹部２５を設ける必要がないため、外部パネル１６の製作が容易になる他、内部スペースの有効利用が可能である。本実施形態は上述したいずれの実施形態と組み合わせることもできる。
【符号の説明】
【００２９】
１  ワイン貯蔵庫
２  断熱箱体
９機械室
１５  電気装置（圧縮機）
１６  外部パネル
１７  収納空間
１８  電源コード
１９  コード部
２０  プラグ
２１  プラグ本体
２２  刃
２３  刃支持部
コード保護部  ２４
２５  凹部
２７  穴
２８  開口
２９  溝部
３０  留め具
３６  係合部
３７  保護部
４０  領域
４１  領域
【図１】
2017117829.tif 000004
【図２】
2017117829.tif 000005
【図３】
2017117829.tif 000006
【図４】
2017117829.tif 000007
【図５】
2017117829.tif 000008
【図６】
2017117829.tif 000009
【図７】
2017117829.tif 000010
【図８】
2017117829.tif 000011
【図９】
2017117829.tif 000012